(57)【要約】【課題】高所作業場所の下を通行する人や車両の安全性を確保するとともに、高所作業場所の下にある器物の破損を防止すること。【解決手段】保護手袋３０１に対して着脱可能であって、保護手袋３０１に装着された場合に当該保護手袋３０１の指部分を露出させる基部１０１と、基部１０１に設けられ、把持対象とする所定の工具３０２の少なくとも一部を挿入可能な管路形状をなし、管路内に挿入された所定の工具３０２の基部１０１に対する位置を固定するように当該所定の工具３０２を保持する工具保持部１０２と、を備えたことを特徴とする。【選択図】図３
2010159506.tif 000002
【特許請求の範囲】
【請求項１】
保護手袋に対して着脱可能であって、前記保護手袋に装着された場合に当該保護手袋の指部分を露出させる基部と、
前記基部に設けられ、把持対象とする所定の工具の少なくとも一部を挿入可能な管路形状をなし、管路内に挿入された所定の工具の前記基部に対する位置を固定するように当該所定の工具を保持する工具保持部と、
を備えたことを特徴とする工具落下防止手袋。
【請求項２】
前記基部に設けられて、当該基部を介して前記保護手袋を締め付ける第１のベルト部材と、
前記第１のベルト部材による締め付け強さを固定する第１のバックル部材と、
を備えたことを特徴とする請求項１に記載の工具落下防止手袋。
【請求項３】
前記管路の内径を狭める方向に前記工具保持部を締め付ける第２のベルト部材と、
前記第２のベルト部材による締め付け強さを固定する第２のバックル部材と、
を備えたことを特徴とする請求項１または２に記載の工具落下防止手袋。
【請求項４】
前記工具保持部は、前記基部における手の平部分に設けられていることを特徴とする請求項１〜３のいずれか１つに記載の工具落下防止手袋。
【請求項５】
大きさの調整が可能な輪部と、当該輪部と前記基部とを連結する所定長さの紐状部材とを有する固定部材を備え、
前記工具保持部は、前記基部における手の甲部分に設けられていることを特徴とする請求項１〜４のいずれか１つに記載の工具落下防止手袋。
【請求項６】
前記工具保持部は、前記管路の両端を開放する第１の開口部および第２の開口部を備えたことを特徴とする請求項１〜５のいずれか一つに記載の工具落下防止手袋。
【請求項７】
少なくとも前記基部は、絶縁性を有する材料によって形成されていることを特徴とする請求項１〜６のいずれか一つに記載の工具落下防止手袋。
【請求項８】
前記基部は、前記保護手袋の変形に応じて変形可能な柔軟性を有する材料によって形成されていることを特徴とする請求項１〜７のいずれか一つに記載の工具落下防止手袋。
【発明の詳細な説明】
【技術分野】
【０００１】
この発明は、工具を使用しておこなう作業に際して、当該作業に使用する保護手袋の上から着用する工具落下防止手袋に関する。
【背景技術】
【０００２】
従来、たとえば架空配電線作業などの高所でおこなう作業に際して、当該作業に従事する作業者は、ペンチやラチェット（ボルト締め付け具）などの工具の落下防止に配慮している。高所でおこなう作業が、たとえば高圧活線作業などのように、所定電圧以上の高圧の電流が流れている高圧線にかかわる作業である場合、作業者は、絶縁性の高い保護手袋を着用することによって感電事故の回避に努めている。
【０００３】
高圧線にかかわる作業に際して着用する保護手袋は、ゴムなどの絶縁性の高い素材を用いてある程度の厚みをもって形成されているため、剛性が強い。このため、保護手袋を着用した状態で工具を把持する場合は、保護手袋を着用しない状態で工具を把持する場合よりも強い握力が必要とされる。また、高所でおこなう作業は工具の落下防止に多大な注意を払わなくてはならず、作業者においては、「工具を落とさないように」と注意することによって、地上でおこなう作業と比較して、工具を把持する手や体全体に力が入りやすくなっている傾向がある。
【０００４】
また、従来、手袋をした状態で携帯型電話機を携帯することを目的として、手袋の手の平部分に携帯型電話機の挿入を可能とするケースを設けるとともに、落下防止のベルトを設けた携帯電話ケース付手袋が考案されている（たとえば、下記特許文献１を参照）。
【０００５】
【特許文献１】実用新案登録第３０７５４８９号公報
【発明の開示】
【発明が解決しようとする課題】
【０００６】
しかしながら、上述した従来の技術では、保護手袋の剛性のために作業者が手や体全体に力を入れることによって、作業者の疲労がたまりやすくなっている。このため、疲労にともなって握力の低下が進行しやすく、握力が低下することによって工具を落下させてしまう可能性が高くなるという問題があった。
【０００７】
作業者の安全確保のためには、保護手袋の絶縁性を確保することが重要であり、保護手袋の剛性がある程度強くなることは避けられないという現状があるが、高所でおこなう作業に際しては、工具を把持するための労力に加えて、「工具を落とさないように」という心理的なプレッシャーのために工具を把持する手や体全体に一層力が入りやすくなっている。
【０００８】
このため、上述した従来の技術では、疲労による握力の低下が起こりやすく、工具を落下させてしまう可能性が高くなるという問題があった。特に、高圧活線作業のように通常の作業よりも一層緊張した作業に際しては、作業者の手や体全体に力が入りやすい状態になっている。このような場合、疲労による握力の低下が一層起こりやすく、工具を落下させてしまう可能性が一層高くなるという問題があった。
【０００９】
ペンチやラチェットなどの金属製の工具は重量があるため、これらの工具が万一落下して歩行者や車両などに当たった場合には、多大な被害や損害が生じる。この対策として、たとえば工具に落下防止用の紐などを設け、この紐を作業者に結びつけることによって、万一工具が作業者の手から落下した場合にも当該工具が地上まで落下することを防止することが考えられる。しかし、この場合、紐が作業の邪魔になり、紐を設けることによってかえって作業性や安全性が低下しかねない。
【００１０】
高圧活線作業では、作業者が携帯するすべてのものの絶縁性を確保する必要があるが、作業者の作業性を低下させることのない取り回し性のよさを実現しつつ、重量のある工具の落下を防止できる強度を有し、さらに高い絶縁性を有する紐を設けることは、現実的には難しい。たとえば、取り回し性のよさを実現しつつ強度を確保するために金属製のワイヤーなどを用いる場合は、絶縁性を確保することができず、作業者の安全性を確保することが難しい。
【００１１】
また、上述した特許文献１に記載された技術では、軽量な携帯型電話機を保持することを目的としており、仮に、金属製のペンチやラチェットなどの重量がある工具を保持する場合は工具の重量によって手袋が伸びてしまい、工具を保持しきれずに落下させてしまうことが想定される。あるいは、落下しない場合にも、作業者が把持していなくては工具の姿勢が不安定になることは十分に想定され、作業者に対しては従来通り落下防止のために多大な配慮が要求される。
【００１２】
この発明は、上述した従来技術による問題点を解消するため、高所作業場所の下を通行する人や車両の安全性を確保するとともに、高所作業場所の下にある器物の破損を防止することができる工具落下防止手袋を得ることを目的とする。
【課題を解決するための手段】
【００１３】
上述した課題を解決し、目的を達成するため、この発明にかかる工具落下防止手袋は、保護手袋に対して着脱可能であって、前記保護手袋に装着された場合に当該保護手袋の指部分を露出させる基部と、前記基部に設けられ、把持対象とする所定の工具の少なくとも一部を挿入可能な管路形状をなし、管路内に挿入された所定の工具の前記基部に対する位置を固定するように当該所定の工具を保持する工具保持部と、を備えたことを特徴とする。
【００１４】
この発明によれば、基部を保護手袋の上から装着した状態で、工具保持部に所定の工具を挿入することで、工具保持部に挿入された所定の工具を、作業者に把持させることなく作業者の手の近傍に位置付けておくことができる。また、この発明によれば、工具落下防止手袋を装着した場合にも、保護手袋の指部分が外部に露出した状態となるので、従来と比較して作業性が低下することを防止することができる。これによって、作業者に負担をかけることなく高所作業に際しての工具の落下を防止できる。
【００１５】
また、この発明によれば、作業者が作業中継続して工具を把持する必要をなくし、作業者は必要時のみに工具を把持すればよいので、工具を把持し続けることによる作業者の疲労を軽減することができる。これによって、作業中の疲労に起因して作業者の握力が低下することを抑制し、作業者の握力が低下することによる工具の落下を防止できる。
【００１６】
また、この発明にかかる工具落下防止手袋は、上記の発明において、前記基部に設けられて、当該基部を介して前記保護手袋を締め付ける第１のベルト部材と、前記第１のベルト部材による締め付け強さを固定する第１のバックル部材と、を備えたことを特徴とする。
【００１７】
この発明によれば、保護手袋の上から装着した基部を第１のベルト部材によって締め付け、その締め付け強さを第１のバックル部材によって固定することにより、保護手袋に対する工具落下防止手袋のずれを防止することができる。これによって、保護手袋すなわち当該保護手袋を着用する作業者の手に対する工具の位置を安定化し、工具落下防止手袋の装着開始時点における最適な作業状態を維持することができる。
【００１８】
また、この発明にかかる工具落下防止手袋は、上記の発明において、前記管路の内径を狭める方向に前記工具保持部を締め付ける第２のベルト部材と、前記第２のベルト部材による締め付け強さを固定する第２のバックル部材と、を備えたことを特徴とする。
【００１９】
この発明によれば、所定の工具が挿入された状態の工具保持部を第２のベルト部材によって締め付け、その締め付け強さを第２のバックル部材によって固定することにより、基部に対する工具の位置ずれを防止することができる。これによって、保護手袋すなわち当該保護手袋を着用する作業者の手に対する工具の位置を安定化し、工具落下防止手袋の装着開始時点における最適な作業状態を維持することができる。
【００２０】
また、この発明によれば、所定の工具の大きさにかかわらず、基部に対する工具の位置ずれを防止することができる。これによって、所定の工具の大きさにかかわらず、保護手袋すなわち当該保護手袋を着用する作業者の手に対する工具の位置を安定化し、工具落下防止手袋の装着開始時点における最適な作業状態を維持することができる。
【００２１】
また、この発明にかかる工具落下防止手袋は、上記の発明において、前記工具保持部が、前記基部における手の平部分に設けられていることを特徴とする。
【００２２】
この発明によれば、基部を保護手袋の上から装着した状態で、工具保持部に所定の工具を挿入することで、工具保持部に挿入された所定の工具を、作業者に把持させることなく作業者の手の平部分に位置付けておくことができる。すなわち、作業者の握力にかかわらず所定の工具を常に作業者の手の平部分に位置付けておくことができる。これによって、作業者に負担をかけることなく高所作業に際しての工具の落下を防止できる。
【００２３】
また、この発明にかかる工具落下防止手袋は、上記の発明において、大きさの調整が可能な輪部と、当該輪部と前記基部とを連結する所定長さの紐状部材とを有する固定部材を備え、前記工具保持部は、前記基部における手の甲部分に設けられていることを特徴とする。
【００２４】
この発明によれば、所定の工具を輪部によって保持して、当該所定の工具を基部につなぎ止めておくことにより、所定の工具を使用しない作業に際しての作業者の手を自由な状態とすることができる。
【００２５】
また、この発明にかかる工具落下防止手袋は、上記の発明において、前記工具保持部が、前記管路の両端を開放する第１の開口部および第２の開口部を備えたことを特徴とする。
【００２６】
この発明によれば、所定の工具の把持部のサイズ（長さ）にかかわらず、所定の工具の把持部を作業者に把持させることなく作業者の手の平部分に位置付けておくことができる。これによって、所定の工具の把持部のサイズ（長さ）にかかわらず、作業者に負担をかけることなく高所作業に際しての工具の落下を防止できる。
【００２７】
また、この発明にかかる工具落下防止手袋は、上記の発明において、少なくとも前記基部が、絶縁性を有する材料によって形成されていることを特徴とする。この発明によれば、たとえば所定の工具を保持する強度を確保するために、金属材料などの導電性を有する材料を用いて工具保持部材を構成した場合にも、絶縁性を確保することができる。これによって、工具落下防止手袋と保護手袋とを併用することによって作業者の安全性の向上を図ることができる。
【００２８】
また、この発明にかかる工具落下防止手袋は、上記の発明において、前記基部が、前記保護手袋の変形に応じて変形可能な柔軟性を有する材料によって形成されていることを特徴とする。この発明によれば、工具の使用に際して、作業者が保護手袋の剛性に抗して当該保護手袋を変形させて工具を把持する場合に、工具落下防止手袋を着用しない従来の作業と比較して、同程度の握力で作業をおこなうことができる。これによって、工具落下防止手袋を着用することに起因して作業者の握力が低下することを抑制し、作業者の握力が低下することによる工具の落下を防止できる。
【発明の効果】
【００２９】
この発明にかかる工具落下防止手袋によれば、工具の落下を防止することができるので、高所作業場所の下を通行する人や車両の安全性を確保するとともに、高所作業場所の下にある器物の破損を防止することができるという効果を奏する。
【発明を実施するための最良の形態】
【００３０】
以下に添付図面を参照して、この発明にかかる工具落下防止手袋の好適な実施の形態を詳細に説明する。この実施の形態の工具落下防止手袋は、高圧活線作業などに使用する保護手袋の上から重ねて着用する。
【００３１】
（実施の形態１）
まず、この発明にかかる実施の形態１の工具落下防止手袋の概略構成について説明する。図１および図２は、この発明にかかる実施の形態１の工具落下防止手袋を示す説明図である。図１においては、この発明にかかる実施の形態１の工具落下防止手袋を、当該工具落下防止手袋の使用時に手の平側となる方向から見た場合の外観を示している。図２においては、この発明にかかる実施の形態１の工具落下防止手袋を、当該工具落下防止手袋の使用時に手の甲側となる方向（図１の背面側）から見た場合の外観を示している。
【００３２】
図１および図２において、この発明にかかる実施の形態１の工具落下防止手袋１００は、基部１０１と工具保持部１０２とを備えている。基部１０１は内側に管路を形成する略筒形状をなしている。基部１０１がなす管路の方向は、保護手袋の長さ方向（手首から中指の先に向かう方向）に、略平行とされている。基部１０１の両端には、基部１０１の内側を外側に開放する開口部１０１ａ、１０１ｂがそれぞれ設けられている。
【００３３】
工具落下防止手袋１００の着用に際して、作業者は、基部１０１における一端側の開口部１０１ａから、保護手袋（図３における符号３０１を参照）を挿入する。作業者は、保護手袋を着用した状態で、基部１０１における一端側の開口部１０１ａから基部１０１内に手を挿入してもよい。
【００３４】
保護手袋は、たとえば高圧活線作業など高圧線に対する作業などに際して、着用する作業者の絶縁性を確保する高圧手袋とすることができる。高圧線は配電用変電所に直接つながっている電線で、６６００ボルト程度の高圧の電流が流れている。このため、高圧線に対する作業に際しては、作業者が保護手袋を着用することは必至とされている。保護手袋は、高圧手袋に限るものではなく、低圧手袋や、その他の作業時における作業者の安全確保を目的とした各種の保護手袋とすることができる。
【００３５】
工具落下防止手袋１００は、基部１０１における他端側の開口部１０１ｂから、基部１０１に挿入された保護手袋における人差し指、中指、薬指および小指の４本の指部分を、基部１０１の外部に露出させる。他端側の開口部１０１ｂは、４本の指部分を同じ開口部１０１ｂから露出させるようにつながった１つの開口をなしている。
【００３６】
基部１０１における他端側の開口部１０１ｂを、４本の指部分が同じ開口から露出するようにつながった１つの開口とすることにより、工具落下防止手袋１００の着用によって作業者の指の動きが制限されることを抑えることができる。また、基部１０１における他端側の開口部１０１ｂを１つの開口とすることにより、保護手袋の形状、具体的には保護手袋における指部分の太さや形状などに左右されることなく、幅広い種類やサイズの保護手袋にこの実施の形態１の工具落下防止手袋１００を着用することができる。
【００３７】
基部１０１の外周部分には、中間開口部１０４が設けられている。中間開口部１０４は、基部１０１に挿入された保護手袋の親指部分を基部１０１の外部に露出させるように開口している。中間開口部１０４は、所定の大きさをもって常時開口した形状をなすものに限らず、たとえば親指が挿入された場合に開くようなスリット形状をなしていてもよい。保護手袋の親指部分を中間開口部１０４を介して基部１０１の外部に露出させた状態では、親指部分と中間開口部１０４との位置関係が固定される。これによって、保護手袋に対する基部１０１の位置を定めることができる。
【００３８】
一端側の開口部１０１ａから保護手袋が挿入され、当該保護手袋における４本の指部分を他端側の開口部１０１ｂから露出させるとともに親指部分を中間開口部１０４から露出させた状態においては、基部１０１は、保護手袋における手の平部分および手の甲部分を覆うような状態で保護手袋に装着される。
【００３９】
基部１０１は、柔軟性を有する材料によって形成されている。基部１０１は、保護手袋の変形に応じて変形可能な程度の柔軟性を有していることが好ましい。このような材料によって基部１０１を形成することにより、保護手袋における手の平部分および手の甲部分を基部１０１によって覆った状態であっても、工具の使用に際して、工具を把持するために変形させた保護手袋と同じように基部１０１を変形させることができる。これによって、工具落下防止手袋１００を着用しない従来の作業と比較して、同程度の握力で工具を把持することができ、工具落下防止手袋１００を着用することによる作業者の負担増加を抑制することができる。
【００４０】
また、基部１０１は、保護手袋の大きさに合わせて伸長可能な伸縮性（弾性）を有する材料によって形成されていることが好ましい。保護手袋の上から装着した基部１０１が保護手袋の大きさに合わせて伸長することにより、着用対象とする保護手袋の大きさを限定することなく、複数段階の大きさ（たとえばＳサイズ、Ｍサイズ、Ｌサイズなど）の保護手袋に、工具落下防止手袋１００を着用することができる。
【００４１】
また、基部１０１は、引っ張り方向に加えられた外力に対する耐性（引っ張り強さ）の高い材質を用いて形成されている。引っ張り強さは、所定の工具を保持することによって基部１０１に荷重が加わった場合にも、基部１０１が破れるなどして破損することがない程度の強さであることが好ましい。基部１０１を形成する材料としては、具体的には、たとえば繊維状に形成したナイロンなどを用いることができる。また基部１０１を形成する材料としては、具体的には、たとえば帆布、ゴム（強化ゴム）などを用いてもよい。
【００４２】
基部１０１には、第１のベルト部材２０１および第１のバックル部材２０２が設けられている。第１のベルト部材２０１および第１のバックル部材２０２は、基部１０１において、保護手袋の手の甲側となる位置に設けられている。第１のベルト部材２０１は、基部１０１を介して保護手袋を締め付け、基部１０１および保護手袋を介して保護手袋の内側にある作業者の手に基部１０１および保護手袋を拘束する。
【００４３】
第１のバックル部材２０２は、第１のベルト部材２０１による締め付け強さを可変とするとともに、第１のベルト部材２０１による締め付け強さを任意の強さで固定する。これにより、作業開始から作業終了までの間、保護手袋に対する基部１０１の締め付け強さを一定にすることができる。
【００４４】
第１のバックル部材２０２は、作業者による操作を受け付けた場合に、第１のベルト部材２０１による締め付け強さを固定する締め付け状態から第１のベルト部材２０１による締め付けを解除する解除状態に変化したり、あるいは、解除状態から締め付け状態に変化したりすることが可能な構成とされている。
【００４５】
第１のバックル部材２０２は、具体的には、たとえばリュックにおける肩紐のずれを防止するために、左右の肩紐どうしを連結するバックル部材と同様の構成によって実現することができる。また、第１のバックル部材２０２は、具体的には、たとえば人体のウエストに装着するベルトの長さを無段階で調整するスライド式のバックル部材（留め具）と同様の構成によって実現することができる。第１のバックル部材２０２の構成については、公知の各種の技術を用いて容易に実現可能であるため、説明を省略する。
【００４６】
第１のベルト部材２０１および第１のバックル部材２０２によって締め付け強さを調整することにより、保護手袋に対する基部１０１の位置を固定し、保護手袋に対する工具落下防止手袋１００のずれを防止することができる。また、第１のベルト部材２０１および第１のバックル部材２０２を、基部１０１において、保護手袋の手の甲側となる位置に設けることにより、第１のベルト部材２０１および第１のバックル部材２０２が工具の把持に支障をきたすことなく、保護手袋に対する基部１０１の位置を固定し、保護手袋に対する工具落下防止手袋１００のずれを防止することができる。
【００４７】
工具保持部１０２は、基部１０１において、保護手袋の手の平側となる位置に設けられている。工具保持部１０２は管路をなし、当該管路の両端にそれぞれ設けられた第１の開口部１０２ａおよび第２の開口部１０２ｂによって、両端が開放されている。工具保持部１０２は、第１の開口部１０２ａを介して、管路内への所定の工具の挿入を可能とする。工具保持部１０２がなす管路の方向は、基部１０１がなす管路の方向に対して傾斜している。傾斜方向は、着用対象とする保護手袋における親指部分の長さ方向と略平行とすることが好ましい。
【００４８】
工具保持部１０２は、基部１０１における手の平部分においてサック形状をなし、第１の開口部１０２ａを介して管路内に挿入された所定の工具（図３における符号３０２を参照）を保持する。所定の工具は、具体的には、たとえばペンチやラチェットなどであって、開口部１０２ａおよび管路は、ペンチが備える２本のハンドルのうちの一方のハンドルや、ラチェットのハンドルなど、高圧活線作業に際して使用する工具における把持部の挿入を可能とする程度の大きさとされている。
【００４９】
このため、工具保持部１０２は、第１の開口部１０２ａから管路内に挿入された各種工具における把持部の長さによっては、第１の開口部１０２ａから管路内に挿入された工具の先端を、第２の開口部１０２ｂから管路の外に露出させることができる。これにより、工具における把持部の長さにかかわらず、複数種類の工具を管路内に挿入することができる。
【００５０】
工具保持部１０２は、具体的には、たとえば略長方形をなすシート状部材１０７を、基部１０１における手の平部分に取り付けることによって実現することができる。この実施の形態１においては、略長方形をなすシート状部材１０７において互いに対向する２辺を、基部１０１における手の平部分に縫いつけ、別の２辺は基部１０１には固定しない状態とする。これによって、基部１０１における手の平部分に、両端に開口部１０２ａ、１０２ｂを備えた管路を設けることができる。
【００５１】
工具保持部１０２は、シート状部材１０７を基部１０１に取り付けることによって、シート状部材１０７と基部１０１との間に管路を形成する構成に限らない。工具保持部１０２は、上記のシート状部材１０７を用いた管路に代えて、たとえば布製あるいはゴム製の筒状部材を、基部１０１における手の平部分に取り付けることによって、基部１０１における手の平部分に、両端に開口部１０２ａ、１０２ｂを備えた管路を形成するようにしてもよい。
【００５２】
シート状部材１０７は、縫いつけに加えて、鋲（リベット）１０８を用いて基部１０１に固定されている。鋲（リベット）１０８は、シート状部材１０７を縫いつけによって固定する固定位置のうち、第１の開口部１０２ａや第２の開口部１０２ｂに工具が通された状態で荷重がかかりやすい部分に設けることが好ましい。この実施の形態１における鋲（リベット）１０８は、具体的には、たとえば縫い目の両端部にそれぞれ設けられている。
【００５３】
シート状部材１０７を形成する材料は、工具保持部１０２がなす管路に挿入された工具の大きさに合わせて伸長可能な伸縮性（弾性）を有する材料であることが好ましい。シート状部材１０７が工具の大きさに合わせて伸長することにより、把持対象とする工具の大きさを限定することなく、大きさの異なる複数種類の工具を保持することができる。
【００５４】
基部１０１には、第２のベルト部材１０９および第２のバックル部材１１０が設けられている。第２のベルト部材１０９は、工具保持部１０２を介して当該工具保持部１０２を締め付ける。第２のバックル部材１１０は、第２のベルト部材１０９に設けられており、第２のベルト部材１０９による工具保持部１０２の締め付け強さを可変とするとともに、調整された任意の強さで締め付け強さを固定する。第２のバックル部材１１０の構成については、第１のバックル部材２０２と同様に、公知の各種の技術を用いて容易に実現可能であるため、説明を省略する。
【００５５】
（工具落下防止手袋１００の使用例）
つぎに、この発明にかかる実施の形態１の工具落下防止手袋１００の使用例について説明する。図３、図４および図５は、この発明にかかる実施の形態１の工具落下防止手袋１００の使用例を示す説明図である。図３においては、保護手袋の上から工具落下防止手袋１００を着用し、当該工具落下防止手袋１００が工具（ラチェット）を保持している様子を、保護手袋の手の平部分側から見た状態を示している。図４においては、工具落下防止手袋１００を着用した保護手袋を、保護手袋の手の甲部分側から見た状態を示している。図５においては、別の保護手袋の上から工具落下防止手袋１００を着用し、当該工具落下防止手袋１００が所定の工具（ペンチ）３０１を保持している様子を、保護手袋の手の平部分側から見た状態を示している。
【００５６】
図３、図４および図５において、工具落下防止手袋１００を装着した状態においては、基部１０１が保護手袋３０１の大きさに合わせて伸長し、工具落下防止手袋１００が保護手袋３０１にフィットした状態とされている。これによって、保護手袋３０１の上から工具落下防止手袋１００を着用した場合にも、作業に支障をきたすことなく作業をおこなうことができる。
【００５７】
また、工具落下防止手袋１００を装着した状態においては、第１のベルト部材２０１が締め付ける締め付け強さを、第１のバックル部材２０２によって調整し固定することによって、保護手袋３０１に対する工具落下防止手袋１００のずれを防止することができる。これによって、保護手袋３０１の上から工具落下防止手袋１００を着用した場合にも、工具落下防止手袋１００が作業の邪魔になって作業に支障をきたすことなく作業をおこなうことができる。
【００５８】
上記のように、工具保持部１０２がなす管路の方向が、基部１０１がなす管路の方向に対して傾斜している。このため、作業者が工具落下防止手袋１００を装着し、工具保持部１０２によって所定の工具３０２を保持した状態においては、当該所定の工具３０２における把持部の方向は、基部１０１がなす管路の方向すなわち作業者の手の長さ方向に対して傾斜した状態となる。
【００５９】
このように、所定の工具３０２における把持部の方向を作業者の手の長さ方向に対して傾斜させることにより、当該所定の工具３０２における把持部を、作業者の手に合わせて当該作業者が把持しやすい角度で固定することができる。具体的には、親指部分を工具の把持部に沿わせ、残りの４本指部分を所定の工具３０２の把持部を握り込むように曲げることによって、所定の工具３０２を安定させることができる。
【００６０】
把持する所定の工具３０２が、たとえば２本のハンドルを備えるペンチのように、複数の把持を備えた工具である場合、作業者は使い易さに応じて適宜いずれか１つの把持部を、工具保持部１０２によって固定する。そして、使用に際しては、２本のハンドルに指がかかるようにして使用する。この場合にも、工具落下防止手袋１００すなわち保護手袋３０１に対する所定の工具３０２の位置を固定し、所定の工具３０２の姿勢を安定させることができる。
【００６１】
そして、この実施の形態１の工具落下防止手袋１００によれば、保護手袋３０１の上から装着した工具落下防止手袋１００の管路に所定の工具３０２の把持部を挿入するだけで、所定の工具３０２における把持部を、作業者の手に合わせて当該作業者が把持しやすい角度で固定することができる。これによって、所定の工具３０２を保持する際の煩わしさをともなうことなく、当該所定の工具３０２を使いやすい状態で固定することができる。
【００６２】
工具保持部１０２に把持部を挿入した状態の所定の工具３０２は、工具保持部１０２によって押さえられている。このため、作業者が、作業の途中で、所定の工具３０２を把持する握力を緩めても、所定の工具３０２が落下することを防止することができる。これによって、高所作業場所の下を通行する人や車両の安全性を確保するとともに、所定の工具３０２の落下によって高所作業場所の下にある器物の破損を防止することができる。
【００６３】
高圧活線作業など電線に対する作業は、当該電線が高所に架空配線されているため、作業者は、これらの作業を高所作業車のバケットに乗ったり電柱に上ったりするなどして、高い場所でおこなっている。高所作業車のバケットや電柱の上などのように、不安定で広さが限られた場所でおこなう作業は、地上での作業と比較して作業者にストレスがかかり、作業者の疲労が増大する傾向にある。また、このような作業は、強風時など天候によっては一層煩雑になり、作業が長時間化したり、作業者の疲労が増大したりする。
【００６４】
高圧活線作業など電線に対する作業のように、高所でおこなう作業は、一般の公道上でおこなうことも多く、万一、高所でおこなう作業中に工具が落下し、地上を歩いている通行人や走行車両あるいは駐車車両などに当たった場合は重大な被害・損害が生じるため、作業者は工具の落下防止に対して細心の注意を払っている。すなわち、作業者は、不安定な足場で自身の安全を確保するための注意に加えて、このような被害・損害を回避するための注意を払っており、地上での作業と比較して格段に大きいストレスがかかり、疲れやすい状況で作業をおこなっている。
【００６５】
作業者の安全確保のためには、保護手袋３０１の絶縁性を確保することが重要であり、保護手袋３０１の剛性がある程度強くなることは避けられないという現状がある。このため、作業者は、保護手袋３０１を着用した状態で作業をおこなわざるを得ず、保護手袋３０１を着用しない状態で作業をおこなう場合よりも強い握力が必要とされるので、疲れやすい状況で作業をおこなっている。
【００６６】
作業者の疲労が増大した場合、疲労の増大にともなって握力の低下が進行しやすくなる。そして、握力が低下することによって工具を落下させてしまう可能性が高くなる。このような事情から、作業者は一層の注意を払わなくてはならず、大変疲れやすい状況で作業をおこなっているのが現状であった。
【００６７】
これに対して、この実施の形態１の工具落下防止手袋１００は、保護手袋３０１に対して着脱可能であって、保護手袋３０１に装着された場合に当該保護手袋３０１の指部分を露出させる基部１０１と、基部１０１に設けられ、把持対象とする所定の工具３０２の少なくとも一部を挿入可能な管路形状をなし、管路内に挿入された所定の工具３０２の基部１０１に対する位置を固定するように当該所定の工具３０２を保持する工具保持部１０２と、を備えたことを特徴としている。
【００６８】
上記の構成とすることにより、この実施の形態１の工具落下防止手袋１００によれば、基部１０１を保護手袋３０１の上から装着した状態で、工具保持部１０２に所定の工具３０２を挿入することで、工具保持部１０２に挿入された所定の工具３０２を、作業者に把持させることなく作業者の手の平部分に位置付けておくことができる。すなわち、作業者の握力にかかわらず所定の工具３０２を常に作業者の手の平部分に位置付けておくことができる。
【００６９】
また、この実施の形態１の工具落下防止手袋１００によれば、工具落下防止手袋１００を装着した場合にも、保護手袋の指部分が外部に露出した状態となる。このため、工具落下防止手袋１００を装着した場合にも、当該工具落下防止手袋１００が作業者の指の動きを制限することがない。これによって、保護手袋３０１を着用しておこなう従来の作業と比較して、作業性が低下することを防止できので、作業者に負担をかけることなく高所作業に際しての工具の落下を防止できる。
【００７０】
また、この実施の形態１の工具落下防止手袋１００によれば、作業者が作業中継続して工具を把持する必要をなくし、作業者は必要時のみに工具を把持すればよいので、工具を把持し続けることによる作業者の疲労を軽減することができる。これによって、作業中の疲労に起因して作業者の握力が低下することを抑制し、作業者の握力が低下することによる工具の落下を防止できる。
【００７１】
また、この実施の形態１の工具落下防止手袋１００によれば、基部１０１に設けられて、当該基部１０１を介して保護手袋３０１を締め付ける第１のベルト部材２０１と、第１のベルト部材２０１による締め付け強さを固定する第１のバックル部材２０２と、を備えたことを特徴とするため、保護手袋３０１の上から装着した基部１０１を第１のベルト部材２０１によって締め付け、その締め付け強さを第１のバックル部材２０２によって固定することにより、保護手袋３０１に対する工具落下防止手袋１００のずれを防止することができる。これによって、保護手袋３０１すなわち当該保護手袋３０１を着用する作業者の手に対する工具の位置を安定化し、工具落下防止手袋１００の装着開始時点における最適な作業状態を維持することができる。
【００７２】
また、この実施の形態１の工具落下防止手袋１００によれば、管路の内径を狭める方向に工具保持部１０２を締め付ける第２のベルト部材１０９と、第２のベルト部材１０９による締め付け強さを固定する第２のバックル部材１１０と、を備えたことを特徴とするため、所定の工具３０２が挿入された状態の工具保持部１０２を第２のベルト部材１０９によって締め付け、その締め付け強さを第２のバックル部材１１０によって固定することにより、基部１０１に対する工具の位置ずれを防止することができる。これによって、保護手袋３０１すなわち当該保護手袋３０１を着用する作業者の手に対する工具の位置を安定化し、工具落下防止手袋１００の装着開始時点における最適な作業状態を維持することができる。
【００７３】
また、上記の構成とすることにより、この実施の形態１の工具落下防止手袋１００によれば、所定の工具３０２の大きさにかかわらず、基部１０１に対する工具の位置ずれを防止することができる。これによって、所定の工具３０２の大きさにかかわらず、保護手袋３０１すなわち当該保護手袋３０１を着用する作業者の手に対する工具の位置を安定化し、工具落下防止手袋１００の装着開始時点における最適な作業状態を維持することができる。
【００７４】
また、この実施の形態１の工具落下防止手袋１００によれば、工具保持部１０２が、管路の両端を開放する第１の開口部１０２ａおよび第２の開口部１０２ｂを備えたことを特徴とするため、所定の工具３０２の把持部のサイズ（長さ）にかかわらず、所定の工具３０２の把持部を作業者に把持させることなく作業者の手の平部分に位置付けておくことができる。これによって、所定の工具３０２の把持部のサイズ（長さ）にかかわらず、作業者に負担をかけることなく高所作業に際しての工具の落下を防止できる。
【００７５】
また、この実施の形態１の工具落下防止手袋１００によれば、少なくとも基部１０１が、絶縁性を有する材料によって形成されていることを特徴とするため、たとえば所定の工具３０２を保持する強度を確保するために、金属材料などの導電性を有する材料を用いて工具保持部１０２を構成した場合にも、絶縁性を確保することができる。これによって、工具落下防止手袋１００と保護手袋３０１とを併用することによって作業者の安全性の向上を図ることができる。
【００７６】
また、この実施の形態１の工具落下防止手袋１００によれば、基部１０１が、保護手袋３０１の変形に応じて変形可能な柔軟性を有する材料によって形成されていることを特徴とするため、工具の使用に際して、作業者が保護手袋３０１の剛性に抗して当該保護手袋３０１を変形させて工具を把持する場合に、工具落下防止手袋１００を着用しない従来の作業と比較して、同程度の握力で作業をおこなうことができる。これによって、工具落下防止手袋１００を着用することに起因して作業者の握力が低下することを抑制し、作業者の握力が低下することによる工具の落下を防止できる。
【００７７】
以上説明したように、この実施の形態１の工具落下防止手袋１００によれば、工具の落下を防止することができるので、高所作業場所の下を通行する人や車両の安全性を確保するとともに、高所作業場所の下にある器物の破損を防止することができる。また、作業者のストレスを減らし、「工具を落とさないように」と気負うために手や体全体に過剰に力が入り、疲れやすくなることを防止できるので、作業者の疲労を軽減することができる。
【００７８】
上述した実施の形態１の工具落下防止手袋１００においては、開放された他端側が１つの開口をなす基部１０１について説明したが、開放された他端側は１つの開口をなすものに限らない。たとえば４本の指部分をそれぞれ別々の位置から露出させるように、４つの開口をなしていてもよい。これによって、保護手袋３０１の４本の指部分をそれぞれ別々の位置から露出させた状態では、４本の指部分と各開口との位置関係が固定される。これによって、保護手袋３０１に対する基部１０１の位置を定めることができる。
【００７９】
また、上述した実施の形態１の工具落下防止手袋１００においては、第１のベルト部材２０１および第１のバックル部材２０２がそれぞれ１つずつ設けられている工具落下防止手袋１００について説明したが、第１のベルト部材２０１および第１のバックル部材２０２の数は、１つに限るものではない。第１のベルト部材２０１および第１のバックル部材２０２は、２つずつ設けてもよいし、第１のベルト部材２０１を複数（たとえば２本）設け、複数の第１のベルト部材２０１の締め付け強さを、１つの第１のバックル部材２０２によって固定するようにしてもよい。
【００８０】
また、上述した実施の形態１の工具落下防止手袋１００においては、第１のベルト部材２０１が基部１０１の管路方向に対して傾斜した状態で取り付けられている工具落下防止手袋１００について説明したが、第１のベルト部材２０１の取り付け方向はこれに限るものではない。たとえば４本の指の並び方向に平行な方向が第１のベルト部材２０１の長手方向となるように、第１のベルト部材２０１を取り付けてもよい。
【００８１】
また、上述した実施の形態１の工具落下防止手袋１００においては、第２のベルト部材１０９および第２のバックル部材１１０がそれぞれ２つずつ設けられている工具落下防止手袋１００について説明したが、第２のベルト部材１０９および第２のバックル部材１１０の数は、２つずつに限るものではない。第２のベルト部材１０９および第２のバックル部材１１０は、１であってもよいし、複数の第２のベルト部材１０９の締め付け強さを、１つの第２のバックル部材１１０によって固定するようにしてもよい。
【００８２】
また、上述した実施の形態１の工具落下防止手袋１００においては、２本の第２のベルト部材１０９が平行となる状態で取り付けられている工具落下防止手袋１００について説明したが、第２のベルト部材１０９を複数設ける場合は、各第２のベルト部材１０９の取り付け方向が非平行となってもよい。また、第２のベルト部材１０９を複数設ける場合は、第２のベルト部材１０９どうしが交差するように設けてもよい。
【００８３】
また、上述した実施の形態１の工具落下防止手袋１００においては、第２のベルト部材１０９および第２のバックル部材１１０が、基部１０１における手の平部分に設けられていることを特徴としている。このような構成とすることにより、基部１０１を保護手袋３０１の上から装着した状態で、第２のベルト部材１０９および第２のバックル部材１１０に所定の工具を挿入することで、第２のベルト部材１０９および第２のバックル部材１１０に挿入された所定の工具を、作業者に把持させることなく作業者の手の平部分に位置付けておくことができる。
【００８４】
これによって、作業者の握力にかかわらず所定の工具を常に作業者の手の平部分に位置付けておくことができる。これによって、作業者に負担をかけることなく高所作業に際しての工具の落下を防止できる。
【００８５】
（実施の形態２）
つぎに、この発明にかかる実施の形態２の工具落下防止手袋の概略構成について説明する。この実施の形態２においては、実施の形態１と同一部分は同一符号で示し、説明を省略する。図６および図７は、この発明にかかる実施の形態２の工具落下防止手袋を示す説明図である。図６においては、この発明にかかる実施の形態２の工具落下防止手袋を、当該工具落下防止手袋の使用時に手の平側となる方向から見た場合の外観を示している。図７においては、この発明にかかる実施の形態２の工具落下防止手袋を、当該工具落下防止手袋の使用時に手の甲側となる方向（図６の背面側）から見た場合の外観を示している。
【００８６】
図６および図７において、この発明にかかる実施の形態２の工具落下防止手袋６００は、固定部材６０１を備えている。固定部材６０１は、基部１０１に設けられた紐状部材６０２と、紐状部材６０２の先端に設けられた輪部６０３と、を備えている。輪部６０３は、閉じたループ形状をなし、大きさの調整が可能な構成とされている。
【００８７】
輪部６０３は、具体的には、紐状部材６０２の長手方向における中途に設けられたループによって実現することができる。輪部６０３は、具体的には、たとえば引き解け結びやワナ結びなどのように、大きさの調整が可能な輪を作ることによって実現することができる。
【００８８】
この場合、輪部６０３は、具体的には、たとえば基部１０１に固定された側端、すなわち紐状部材６０２を引っ張ると輪が小さくなるように締まり、自由端とされた端部側を引っ張ると輪が大きく緩むよう構成することが好ましい。紐状部材６０２は、基部１０１において紐状部材６０２が取り付けられている部分と、輪部６０３との間に所定長さが確保されるように構成されている。
【００８９】
工具落下防止手袋６００は、基部１０１において、保護手袋３０１の手の甲側となる位置に設けられた工具保持部７０１を備えている。工具保持部７０１は、管路をなし、当該管路の両端にそれぞれ設けられた第１の開口部７０１ａおよび第２の開口部７０１ｂによって、両端が開放されている。工具保持部７０１は、第１の開口部７０１ａを介して、管路内への所定の工具の挿入を可能とする。また、工具保持部７０１は、管路内に挿入された工具における端部の長さによっては、先端を第２の開口部７０１ｂから管路の外部に露出させることができる。
【００９０】
基部１０１には、ベルト部材７０２およびバックル部材７０３が設けられている。ベルト部材７０２は、工具保持部７０１を介して当該工具保持部７０１を締め付けるとともに、基部１０１を介して保護手袋３０１を締め付け、基部１０１および保護手袋３０１を介して保護手袋３０１の内側にある作業者の手に基部１０１および保護手袋３０１を拘束する。
【００９１】
バックル部材７０３は、ベルト部材７０２に設けられており、ベルト部材７０２による工具保持部７０１の締め付け強さを可変とするとともに、調整された任意の強さで締め付け強さを固定する。ベルト部材７０２およびバックル部材７０３は、上記実施の形態１における第１のベルト部材２０１および第１のバックル部材２０２としての機能と、第２のベルト部材１０９および第２のバックル部材１１０としての機能と、を実現する。
【００９２】
（工具落下防止手袋６００の使用例）
つぎに、この発明にかかる実施の形態２の工具落下防止手袋６００の使用例について説明する。図８は、この発明にかかる実施の形態２の工具落下防止手袋６００の使用例を示す説明図である。工具落下防止手袋６００の使用に際しては、まず、保護手袋３０１の上から工具落下防止手袋６００を着用する。
【００９３】
そして、固定部材６０１における輪部６０３に、ペンチが備える２本のハンドルのうちの一方のハンドルや、ラチェットのハンドルなど、高圧活線作業に際して使用する工具３０２における把持部を挿入する。その後、輪部６０３の大きさを小さくして、輪部６０３によって工具３０２の把持部をしめつける。輪部６０３は、工具３０２にあるくびれ部分に引っかかるような位置で、工具を締め付けることが好ましい。これによって、紐状部材６０２を介して工具落下防止手袋６００と工具３０２とが連結される。
【００９４】
作業者は、工具３０２を使用する作業に際しては、工具３０２の把持部を工具保持部１０２における管路に挿入することによって、当該工具３０２を手の平側に位置づける。これによって、工具の把持部を把持した状態で作業をおこなうことができる。工具落下防止手袋６００と工具３０２とが紐状部材６０２を介して連結されている（繋がって一体化されている）ため、握力が低下して、作業者の手から工具３０２が滑り落ちた場合にも、工具が地面などに落下することを防止できる。これによって、高所作業場所の下を通行する人や車両の安全性を確保するとともに、所定の工具３０２の落下によって高所作業場所の下にある器物の破損を防止することができる。
【００９５】
また、作業者は、工具３０２を使用しない作業に際しては、工具３０２を手の甲側に移動させた状態で作業をおこなう。手の甲側に移動させた工具３０２は、固定部材６０１によって工具落下防止手袋６００に連結されているため、作業者は工具３０２を地面などに落下させることなく作業をおこなうことができる。
【００９６】
工具落下防止手袋６００と工具とが紐状部材６０２によって連結されているため、工具３０２を作業者の手の近くに位置づけ、必要時にはすぐに使用できる状態としながらも、所定の工具３０２を使用しない作業に際しての作業者の手を自由な状態とすることができる。また、基部１０１において紐状部材６０２は所定長さが確保されているため、工具３０２が作業者の手の平側に残ることがなく、作業者の手の平側を確実に開放することができる。
【００９７】
また、手の甲側に移動させた工具３０２は、工具保持部７０１における第１の開口部７０１ａを介して、管路内へ挿入してもよい。この場合、工具３０２の位置が定まるので、手の甲側に移動させた工具３０２が揺れるなどして動き回ることを防止できる。これによって、作業者の手の平側を確実に開放するとともに、宙づりになった状態の工具３０２に邪魔されて作業性が低下するなどの事態の発生を防止することができる。
【００９８】
たとえば、連続してのナット締め付けではなく、工具３０２を使用してナットを締めた後手作業をおこない、その後またナットを締めて手作業をおこなう、・・・などのように工具３０２を使用する作業と工具３０２を使用しないでおこなう手作業とを繰り返しておこなう場合に、工具３０２が必要になる都度、工具３０２を工具落下防止手袋６００に装着し、取り外す作業をおこなうと作業効率が低下する。
【００９９】
これに対して、この実施の形態の工具落下防止手袋６００によれば、工具３０２を使用しないでおこなう手作業に際しては、当該工具３０２を手の甲側に移動させ、手の平側を開放することができるので、「工具を落とさないように」と気負うことによる作業者の疲労を軽減するとともに、最適な作業状態を確保することができる。
【０１００】
以上説明したように、この実施の形態２の工具落下防止手袋６００は、大きさの調整が可能な輪部６０３と、当該輪部６０３と基部１０１とを連結する所定長さの紐状部材６０２とを有する固定部材６０１を備え、工具保持部７０１は、基部１０１における手の甲部分に設けられていることを特徴としている。
【０１０１】
このような構成の工具落下防止手袋６００によれば、所定の工具３０２を輪部６０３によって保持して、当該所定の工具３０２を基部１０１につなぎ止めておくことにより、所定の工具３０２を使用しない作業に際しての作業者の手を自由な状態とすることができる。これによって、最適な作業状態を確保することができる。
【０１０２】
固定部材６０１は、紐状部材のみで形成されているものに限らない。固定部材６０１は、たとえば紐状部材および長さ調整パーツを用いて形成したループによって実現される輪部６０３を備えた構成であってもよい。長さ調整パーツは、紐状部材を通すことができる紐通し用パーツと、当該紐通し用パーツに通された紐状部材を紐通し用パーツに押しつけるように付勢する付勢部材と、を備えている。付勢部材は、たとえば圧縮バネなどを用いることができる。長さ調整パーツについては、公知の各種技術を用いて容易に実現可能であるため図示および説明を省略する。
【産業上の利用可能性】
【０１０３】
以上のように、この発明にかかる工具落下防止手袋は、高所でおこなう作業に際して工具などの所持品の落下を防止するために用いる工具落下防止手袋に有用であり、特に、高圧活線作業に用いる保護手袋３０１のように剛性が強い保護手袋３０１を介して工具を把持する必要がある作業に際して用いる工具落下防止手袋に適している。
【図面の簡単な説明】
【０１０４】
【図１】この発明にかかる実施の形態１の工具落下防止手袋を示す説明図（その１）である。
【図２】この発明にかかる実施の形態１の工具落下防止手袋を示す説明図（その２）である。
【図３】この発明にかかる実施の形態１の工具落下防止手袋の使用例を示す説明図（その１）である。
【図４】この発明にかかる実施の形態１の工具落下防止手袋の使用例を示す説明図（その２）である。
【図５】この発明にかかる実施の形態１の工具落下防止手袋の使用例を示す説明図（その３）である。
【図６】この発明にかかる実施の形態２の工具落下防止手袋を示す説明図（その１）である。
【図７】この発明にかかる実施の形態２の工具落下防止手袋を示す説明図（その２）である。
【図８】この発明にかかる実施の形態２の工具落下防止手袋６００の使用例を示す説明図である。
【符号の説明】
【０１０５】
１００  工具落下防止手袋
１０１  基部
１０２  工具保持部
１０９  第２のベルト部材
１１０  第２のバックル部材
２０１  第１のベルト部材
２０２  第１のバックル部材
３０１  保護手袋
３０２  所定の工具
６０１  固定部材
６０２  紐状部材
６０３  輪部
６０４  工具保持部
６０５  ベルト部材
６０６  バックル部材
【図１】
2010159506.tif 000003
【図２】
2010159506.tif 000004
【図３】
2010159506.tif 000005
【図４】
2010159506.tif 000006
【図５】
2010159506.tif 000007
【図６】
2010159506.tif 000008
【図７】
2010159506.tif 000009
【図８】
2010159506.tif 000010